(57)【要約】【課題】照明制御システムにおいて、照明負荷の間引き制御の際、照明負荷の点滅回数に偏りが生じることを防止する。【解決手段】照明制御システム１において、スイッチ操作器６，７は、複数の照明負荷９から一部の照明負荷９の点灯を省く間引き制御する際、点灯させるごとに点灯する照明負荷９が入れ替わるようにアドレス設定されたスイッチＳＷを備え、このスイッチＳＷが押下された場合、該アドレスを含む制御信号を伝送ユニット２に送信する。伝送ユニット２は、該制御信号に含まれるアドレスに対応する照明負荷９を間引き制御するための制御信号をリレー制御端末器３に送信する。この構成により、照明制御システム１において、照明負荷９の間引き制御の際、照明負荷の点滅回数に偏りが生じることを防止できる。【選択図】図１
2012199099.tif 000002
【特許請求の範囲】
【請求項１】
制御対象となる照明負荷の状態を変化させるために操作され、該操作に応じて信号を出力する負荷操作器と、前記負荷操作器の制御対象となる照明負荷を制御する制御端末器と、信号線を介して前記制御端末器及び前記負荷操作器と接続され伝送信号を送受信する伝送ユニットと、を備える照明制御システムにおいて、
前記負荷操作器は、
複数の照明負荷から一部の照明負荷の点灯を省く間引き制御する際、点灯させるごとに点灯する照明負荷が入れ替わるようにアドレス設定されたスイッチ手段と、
前記スイッチ手段が押下された場合、前記アドレスを含む制御信号を前記伝送ユニットに送信する送受信手段と、を備え、
前記伝送ユニットは、
前記制御信号に含まれるアドレスに対応する照明負荷を間引き制御するための制御信号を前記制御端末器に送信する制御手段を備えた、ことを特徴とする照明制御システム。
【請求項２】
前記アドレスには、間引き制御において一部の照明負荷を点灯させるパターンアドレス、間引き制御において前記一部の照明負荷以外の照明負荷を点灯させるパターンアドレス、全ての照明負荷を点灯させるパターンアドレス、及び全ての照明負荷を消灯させるパターンアドレスが含まれる、ことを特徴とする請求項１記載の照明制御システム。
【請求項３】
前記負荷操作器は、照明負荷の点灯状態を表示する表示部を有し、
前記表示部は、間引き点灯状態と、そうでない状態とで表示色又は表示領域を異ならせた、ことを特徴とする請求項１又は２に記載の照明制御システム。
【請求項４】
前記表示部は、液晶表示部であり、前記間引き点灯状態においては、照明負荷の全点灯時において所定色で表示される前記液晶表示部の領域の半分の領域を前記所定色で表示する、ことを特徴とする請求項３記載の照明制御システム。
【請求項５】
前記表示部は、ＬＥＤ表示部であり、前記間引き点灯状態においては、照明負荷の全点灯時において所定色で表示される前記ＬＥＤ表示部を他の色で表示する、ことを特徴とする請求項３記載の照明制御システム。
【発明の詳細な説明】
【技術分野】
【０００１】
本発明は、所定の制御信号に基づいて照明負荷を制御する照明制御システムに関する。
【背景技術】
【０００２】
従来より、制御対象となる照明負荷などの負荷の状態を変化させるための入力端末器と、照明負荷が接続された負荷制御端末器とが信号線を介して伝送ユニットにそれぞれ接続された照明制御システムが知られている。この照明制御システムでは、入力端末器から送信される伝送信号に基づいて、伝送ユニットが、入力端末器に関連付けられたアドレス情報と対応する負荷制御端末器を介して、この負荷制御端末器に接続する照明負荷を制御する。
【０００３】
この種の照明制御システムでは、図１１に示すように、壁面に設けられた負荷操作器１１１を介して、複数の照明負荷１１２から一部の照明負荷１１２の点灯を省く間引き点灯の制御ができる。この場合、負荷操作器１１１の１つのスイッチに、同一のグループの複数の照明負荷を同一の制御状態へと一括的に制御するための１つのグループアドレスを設定する。または、負荷操作器１１１の１つのスイッチに、各照明負荷１１２を予め定めた所定の制御状態へ一括的に制御するための１つのパターンアドレスを設定する。ユーザは、上記アドレス設定がなされた負荷操作器１１１のスイッチを押下し、複数の照明負荷をパターン制御やグループ制御して間引き制御を実現する。
【０００４】
そして、近年、照明制御システムでは、周囲の照度を検知する照度センサにより検出される周囲環境の照度に合わせて、自動的に、明るい昼間や昼休みなど、照明負荷の間引き制御を行うことで省エネルギーを図る制御が行われている。また、ＬＥＤの累積点灯時間が均一になるようにＬＥＤを間引き点灯させるトンネル照明負荷が知れられている（例えば、特許文献１参照）。
【先行技術文献】
【特許文献】
【０００５】
【特許文献１】特開２００５−１４２１１６号公報
【発明の概要】
【発明が解決しようとする課題】
【０００６】
しかしながら、上記従来の照明制御システムにおいて間引き制御を行う際、図１１に示すように、間引きして点滅させる照明負荷１１２が固定されている。このため、照明負荷の点滅回数に偏りが生じ、点滅回数の多い照明負荷やリレーの寿命が早くなり、照明負荷の明るさにバラツキが生じ、その結果、ユーザに違和感を与えてしまうという問題がある。
【０００７】
また、従来の照明制御システムでは、上記のように間引き制御に用いられるパターンアドレスやグループアドレスが負荷操作器に一度設定されると、間引き制御を行う照明負荷を変更するにはアドレス設定器を用いて再度アドレス設定からやり直す必要がある。この結果、ユーザの手間を要するという問題もある。
【０００８】
さらに、図１２（ａ）に示すように、従来の液晶付き負荷操作器１２１の液晶表示部１２２においては、ＯＦＦ時に操作ボタン１２３の左側に緑表示１２４、ＯＮ時に操作ボタン１２３の右側に赤表示１２５がなされる。図１２（ｂ）に示すスイッチ式の負荷操作器１２６では、操作ボタンの左上、右上に設けられたＬＥＤ１２７，１２８をそれぞれＯＦＦ時には緑点灯（１２７）、ＯＮ時には赤点灯（１２８）する。このため、従来の負荷操作器１２１，１２６では、照明負荷のＯＮ状態又はＯＦＦ状態を操作面において確認することはできるが、消灯している照明負荷があった場合、間引き制御のために消灯しているのか、寿命により消灯しているのか分からない。すなわち、ユーザやメンテナンス業者は、負荷操作器１２１，１２６の操作面から視覚的に間引き点灯状態を確認することができないという問題がある。
【０００９】
本発明は、上記課題に鑑みてなされたものであり、照明負荷の間引き制御において、照明負荷の点滅回数に偏りが生じることを防止した照明制御システムを提供することを目的とする。また、照明負荷の間引き制御状態を視覚的に認識できる負荷操作器を備える照明制御システムを提供することをも目的とする。
【課題を解決するための手段】
【００１０】
上記目的を達成するために本発明は、制御対象となる照明負荷の状態を変化させるために操作され、該操作に応じて信号を出力する負荷操作器と、前記負荷操作器の制御対象となる照明負荷を制御する制御端末器と、信号線を介して前記制御端末器及び前記負荷操作器と接続され伝送信号を送受信する伝送ユニットと、を備える照明制御システムにおいて、前記負荷操作器は、複数の照明負荷から一部の照明負荷の点灯を省く間引き制御する際、点灯させるごとに点灯する照明負荷が入れ替わるようにアドレス設定されたスイッチ手段と、前記スイッチ手段が押下された場合、前記アドレスを含む制御信号を前記伝送ユニットに送信する送受信手段と、を備え、前記伝送ユニットは、前記制御信号に含まれるアドレスに対応する照明負荷を間引き制御するための制御信号を前記制御端末器に送信する制御手段を備えた、ことを特徴とする。
【００１１】
この照明制御システムにおいて、前記アドレスには、間引き制御において一部の照明負荷を点灯させるパターンアドレス、間引き制御において前記一部の照明負荷以外の照明負荷を点灯させるパターンアドレス、全ての照明負荷を点灯させるパターンアドレス、及び全ての照明負荷を消灯させるパターンアドレスが含まれることが好ましい。
【００１２】
この照明制御システムにおいて、前記負荷操作器は、照明負荷の点灯状態を表示する表示部を有し、前記表示部は、間引き点灯状態と、そうでない状態とで表示色又は表示領域を異ならせたことが好ましい。
【００１３】
この照明制御システムにおいて、前記表示部は、液晶表示部であり、前記間引き点灯状態においては、照明負荷の全点灯時において所定色で表示される前記液晶表示部の領域の半分の領域を前記所定色で表示することが好ましい。
【００１４】
この照明制御システムにおいて、前記表示部は、ＬＥＤ表示部であり、前記間引き点灯状態においては、照明負荷の全点灯時において所定色で表示される前記ＬＥＤ表示部を他の色で表示することが好ましい。
【発明の効果】
【００１５】
本発明によれば、照明制御システムにおいて、負荷操作器は、間引き点灯させるごとに点灯する照明負荷が入れ替わるようにアドレス設定されたスイッチを有する。このため、間引き制御において、照明負荷の点滅回数に偏りが生じることを防止できる。
【００１６】
また、照明制御システムの負荷操作器は、間引き点灯状態と、そうでない状態とで表示色又は表示領域を異ならせて照明負荷の点灯状態を表示する表示部を有するため、照明負荷の間引き制御の状態を視覚的に認識できる。
【図面の簡単な説明】
【００１７】
【図１】本発明の実施の形態１に係る照明制御システムの構成図である。
【図２】同上照明制御システムにおける間引き制御の説明図である。
【図３】同上照明制御システムの伝送ユニットが保持する情報テーブルの一例を示す図である。
【図４】本発明の実施の形態２に係る照明制御システムにおける間引き制御の説明図である。
【図５】同上実施の形態２の第１の変形例に係る照明制御システムの負荷操作器の前面図である。
【図６】（ａ）本発明の実施の形態３に係る照明制御システムの説明図、（ｂ）同上照明制御システムの負荷操作器に設定されるパターンアドレスの一例を示す図である。
【図７】（ａ）同上実施の形態３の第１の変形例に係る照明制御システムの間引き制御の説明図、（ｂ）同上照明制御システムの負荷操作器に設定されるグループアドレスの一例を示す図である。
【図８】（ａ）本発明の実施の形態４に係る照明制御システムの液晶付負荷操作器の表示画面の一例を示す図、（ｂ）同上照明制御システムに係る負荷操作器のＬＥＤ表示部の前面図、（ｃ）同上ＬＥＤ表示部の前面図である。
【図９】（ａ）及び（ｂ）はそれぞれ同上実施の形態４の第１の変形例に係る照明制御システムの負荷操作器の前面図である。
【図１０】（ａ）及び（ｂ）はそれぞれ同上実施の形態４の第２の変形例に係る照明制御システムの負荷操作器の前面図である。
【図１１】従来の照明制御システムにおける間引き制御の説明図である。
【図１２】（ａ）従来の照明制御システムに用いる液晶付き負荷操作器の前面図、（ｂ）同上照明制御システムに用いる負荷操作器の前面図である。
【発明を実施するための形態】
【００１８】
本発明の実施の形態に係る照明制御システムに関して図面を参照して説明する。
【００１９】
（実施の形態１）
図１は、本実施の形態１に係る照明制御システム１の構成を示す。この照明制御システム１は、伝送ユニット２と、リレー制御端末器（制御端末器）３と、リモコンリレー４と、リモコントランス５と、スイッチ操作器（負荷操作器）６と、液晶付スイッチ操作器（負荷操作器）７と、照度センサ８と、照明負荷９とを備えている。リレー制御端末器３、スイッチ操作器６、液晶付スイッチ操作器７、及び照度センサ８は、２線式の信号線を介して伝送ユニット２と相互に接続されている。伝送ユニット２との情報のやり取りは、信号線に割り込み式時分割多重伝送方式で伝送される伝送信号を通して行われる。
【００２０】
この照明制御システム１では、室内の壁面などに埋め込まれたスイッチ操作器６や液晶付スイッチ操作器７、照度センサ８を用いて、複数の照明負荷９から一部の照明負荷９の点灯を省く間引き制御や照明負荷９のオン／オフ状態の操作を行うことができる。
【００２１】
伝送ユニット２は、スイッチ操作器６、液晶付スイッチ操作器７、及び照度センサ８からの伝送信号に基づいて、伝送信号に含まれるアドレス情報から制御対象となる照明負荷９を特定すると共に、照明負荷９に対する制御状態（オン、オフや調光状態）を特定する。そして、伝送ユニット２は、制御対象となる照明負荷９と対応するリレー制御端末器３に対して、照明負荷９のアドレス情報と、その制御状態とを制御指令信号として送信する制御部を有している。
【００２２】
リレー制御端末器３は、リレーの制御状態に応じて照明負荷９の状態を制御する負荷制御端末器としての機能を担っている。リレー制御端末器３は、伝送ユニット２からの伝送信号に基づいて、自己に接続するリモコンリレー４のうち、制御対象となる照明負荷９に対応するリモコンリレー４に対して制御信号を送ることにより、リモコンリレー４の状態を制御する。リモコンリレー４の個々のリレーは、リレー制御端末器３に制御されて、ブレーカ電源（ＡＣ１００又は２００Ｖ）１０などからの商用交流をオン／オフすることで、照明負荷９をオン状態やオフ状態にする。
【００２３】
リモコントランス５は、リレー制御端末器３、及びリモコンリレー４に駆動用の電力を供給する。
【００２４】
スイッチ操作器６及び液晶付スイッチ操作器７は、照明負荷９を制御するための制御指令を出力するための入力端末器としての機能を担っている。具体的には、スイッチ操作器６，７は、例えば室内などの任意の壁面に設置されており、照明負荷９を利用するユーザによってプッシュ操作が可能な端末器である。スイッチ操作器６は、スイッチＳＷ（スイッチ手段）のいずれかが操作されるのに応じて、そのスイッチＳＷに関連付けられているアドレス情報と、スイッチＳＷの操作状態とを制御信号として伝送ユニット２に送信する送受信手段を備えている。液晶付スイッチ操作器７は、液晶タッチパネルを有し、ユーザが画面表示されるスイッチＳＷ（スイッチ手段）に触れることで、操作状態を制御信号として伝送ユニット２に送信する送受信手段を備えている。
【００２５】
スイッチ操作器６，７の各スイッチＳＷには、照明負荷９の間引き点灯制御を行うため、アドレス情報としてグループアドレスやパターンアドレスが設定されている。このスイッチＳＷのプッシュ操作に応じて、アドレスに対応する照明負荷９は、間引き点灯状態へと移行する。
【００２６】
照度センサ８は、天井面などに設置され、検知領域周辺の明るさを検知（検知照度１００〜２０００ルクス等）する。そして、照度センサ８は、検知された照度に基づいて照明負荷９を制御するためアドレス情報や制御情報を含む制御信号を、伝送信号線を介して伝送ユニット２に対して送信する。照度センサ８には、照度検出のＯＮ／ＯＦＦ設定、照度値を設定する照度設定用スイッチなどが備わっている。なお、照明制御システム１が備えるセンサ機能は照度センサ８に限定されるものではなく、例えば人の動きの温度変化を検知して照明を制御する熱線センサなどを用いることもできる。
【００２７】
これらのスイッチ操作器６、液晶付スイッチ操作器７、及び照度センサ８は、照明負荷９を制御するための負荷操作器であるが、負荷操作器はこれらに限定されるものではない。すなわち、その他の負荷操作器として、人体の熱を検出する熱線センサ、年間プログラムや時間帯プログラムに基づいて照明負荷９の点灯状態（オン状態、オフ状態や調光状態）を制御するタイマユニットや、接点入力端末器を用いることもできる。この接点入力端末器は、他システムからの信号を接続することで他システムからの制御信号に基づいて照明負荷９の間引き制御におけるグループ制御やパターン制御を可能とする。
【００２８】
照明負荷９は、負荷アドレスによって一意に特定することができる。具体的には、リレー制御端末器３には、負荷チャネル（Ｃｈ）と呼ばれる固有の識別子が割り当てられており、リレー制御端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２９】
次に、本実施の形態１における照明制御システム１の間引き制御に関して説明する。図２に示すように、スイッチ操作器６を用いて照明負荷９の間引き制御を行う際、一部の照明負荷９を点灯させ、残りの照明負荷９を点灯させないこととし、且つ点灯させる毎に点灯する照明が入れ替わるようになる。すなわち、一回目は奇数番目の照明負荷９を点灯させ偶数番目の照明負荷９を消灯させ、二回目には、偶数番目の照明負荷９を点灯させ奇数番目の照明負荷９を消灯させ、三回目以降はこの制御を繰り返す。なお、図２の４つの照明負荷９の負荷アドレスは、左側から「０−１」、「０−２」、「１−１」、「１−２」とする。
【００３０】
次に、照明負荷９の間引き制御を行うための制御処理に関して説明する。スイッチ操作器６には、図２に示すように、複数のスイッチの１つに間引き制御用のスイッチＳＷ１が設けられる。このスイッチＳＷ１には、アドレス設定器においてパターンアドレス「Ｐ−１」及び「Ｐ−２」が交互に設定される。
【００３１】
なお、スイッチ操作器６，７に設定されるアドレスには、個別アドレス、グループアドレス、又はパターンアドレスを含む。個別アドレスは、個別制御の対象となる照明負荷９を特定するための情報であり、負荷アドレス（個別「０−１」など）に該当する。グループアドレスは、複数の照明負荷９を同一の制御状態へと一括的に制御するためグループ制御の対象となるグループを特定するための情報であり、予め設定された個々のグループに付与された番号（「Ｇ−１」など）がこれに該当する。パターンアドレスは、複数の照明負荷９を、それぞれの照明負荷９に予め定められた所定の制御状態へと一括的に制御するパターンを特定するための情報であり、予め設定された個々のパターンに付与された番号（「Ｐ−１」など）である。
【００３２】
ユーザが、照明負荷９の間引き制御を行うため、スイッチＳＷ１を押下すると、パターンアドレスＰ−１及びＰ−２が交互に制御信号に付加されて伝送ユニット２に送信される。伝送ユニット２は、内部のプロセッサの制御のもと、スイッチ操作器６からの伝送信号に基づいて、スイッチ操作器６の各スイッチに関連付けられたアドレス情報から制御対象となる照明負荷９を特定すると共に、照明負荷９に対する制御状態を特定する。そして、伝送ユニット２が備える制御部は、制御対象となる照明負荷９と対応するリレー制御端末器３に対して、照明負荷９のアドレス情報と、その制御状態とを制御指令として送信することで、リモコンリレー４がリレーを動作させて照明負荷９を間引き制御する。
【００３３】
次に、伝送ユニット２におけるアドレス設定に関して説明する。図３に示すように、伝送ユニット２は、例えば、個々のパターンアドレス毎に、そのパターンに割り当てられる照明負荷９の負荷アドレスと、その照明負荷９のパターン状態（オン状態、オフ状態）との対応関係を示した情報テーブル３０を保持する。この情報テーブル３０は、フル２線式信号線に接続されるアドレス設定器を用いて設定され、「Ｐ−２」の制御内容を「負荷アドレス０−１，１−１をオフ、０−２，１−２をオン」などと設定する。伝送ユニット２は、例えばスイッチ操作器６から「Ｐ−２」を含む伝送信号を受信した場合、情報テーブル３０を検索し、この「Ｐ−２」に該当する複数の照明負荷９の制御状態（「負荷アドレス０−１，１−１をオフ、０−２，１−２をオン」）を特定する。
【００３４】
なお、グループアドレスの場合も同様であり、伝送ユニット２は、個々のグループアドレス毎に、そのグループに割り当てられる照明負荷９の負荷アドレスを示した情報テーブルを保持する。情報テーブルは、アドレス設定器を用いて設定され、例えば「Ｇ−１」の制御範囲を「負荷アドレス０−１，０−２，１−１，１−２」と記憶する。伝送ユニット２は、スイッチ操作器６，７などからグループアドレス（「Ｇ−１」）を取得した場合には、情報テーブルを検索することで、このグループアドレスに該当する複数の照明負荷９の制御状態（「０−１，０−２，１−１，１−２」）を特定する。
【００３５】
以上の説明のように、本実施の形態１では、ユーザが照明負荷９の間引き制御を行う場合、スイッチ操作器６のスイッチＳＷ１を押下するごとに点灯する照明負荷９が入れ替わる。従って、間引き制御において、照明負荷９の点灯を交互に行い、照明負荷９やリモコンリレー４の動作回数が平均化され、照明負荷９やリモコンリレー４の寿命にばらつきがなくなり、照明負荷９の明るさに差が生じにくい。
【００３６】
また、間引き制御する照明負荷９の範囲を切り替えて制御したい場合などにおいて、スイッチ操作器６，７のアドレス設定を変更する手間が省け、簡単に間引き制御できる。従って、照明制御システム１を従来の照明制御システムに適用でき、照明負荷９の延命を図ることができる。
【００３７】
（実施の形態２）
以下、本発明に係る照明制御システムの実施の形態２に関して図４を参照して説明する。上記実施の形態１に係る照明制御システム１と同様の構成には同符号を付し、その詳細な説明は省略する（以下同様）。
【００３８】
スイッチ操作器６のＳＷ１には、アドレス設定器を用いて、「Ｐ−１（一部の照明負荷９を点灯）」、「Ｐ−２（この逆の点灯状態）」、「Ｐ−３（全点灯）」、「Ｐ−４（全消灯）」の４つのパターンアドレスＰ１〜Ｐ４を繰り返すアドレス設定がなされる。
【００３９】
伝送ユニット２には、図３の情報テーブル３０に示すように、アドレス設定器を用いて「Ｐ−１」の制御内容を「０−１，１−１をオン、０−２、１−２をオフ」、「Ｐ−２」の制御内容を「０−１，１−１をオフ、０−２、１−２をオン」と設定する。また、「Ｐ−３」の制御内容を「０−１，０−２，１−１，１−２をオン」、「Ｐ−４」の制御内容を「０−１，０−２，１−１，１−２をオフ」に設定する。
【００４０】
このアドレス設定により、スイッチ操作器６のＳＷ１が押下される度に、異なるパターンアドレスＰ１〜Ｐ４が付与された伝送信号が伝送ユニット２に送信される。伝送ユニット２は、この伝送信号に基づいて、情報テーブル３０から制御対象となる照明負荷９を特定すると共に、照明負荷９に対する制御状態を特定する。また、伝送ユニット２は、制御対象となる照明負荷９と対応するリレー制御端末器３に対して、照明負荷９のアドレス情報と、その制御状態とを制御指令として送信する。このことで、異なる照明負荷９での間引き点灯パターン、全点灯、及び全消灯を繰り返す間引き制御を実現する。
【００４１】
このように、本実施の形態２では、スイッチ操作器６のＳＷ１には間引き制御におけるパターンアドレスＰ１からＰ４が設定されているため、再度アドレス設定器を用いてアドレス設定を変更することなく、間引きパターンを順次変更することが可能となる。
【００４２】
（第１の変形例）
本実施の形態２の第１の変形例について、図５を参照して説明する。上記実施の形態２においては、スイッチ操作器６のＳＷ１に対して４つのパターンアドレスを設定するが、スイッチ操作器６の種類によっては１つのＳＷに多くのアドレスを付与できない場合がある。
【００４３】
従って、本変形例では、図５に示すように、スイッチ操作器６の化粧カバー６ａを外した内部に、４状態切替用のディップスイッチ（設定スイッチ）６ｂを設けている。このディップスイッチ６ｂを各状態に切り換えてパターンアドレスＰ１〜Ｐ４を一つずつ設定することができる。このため、ディップスイッチ６ｂにより、２〜４個のスイッチを備えたスイッチ操作器６においても、各スイッチＳＷに複数のパターンアドレスを設定して、ディップスイッチ６ｂを任意の配置にすることで、所望の間引き制御を実現できる。
【００４４】
（実施の形態３）
以下、本発明に係る照明制御システムの実施の形態３に関して図６を参照して説明する。図６（ａ）に示すように、アドレス設定器１１を用いてスイッチ操作器６の４つのスイッチ部ＳＷ１〜ＳＷ４に間引き制御用のパターンアドレスを設定する。この際、図６（ｂ）のテーブル１２に示すように、ＳＷ１に「Ｐ−１」、ＳＷ２に「Ｐ−５」、ＳＷ３に「Ｐ−９」、ＳＷ４に「Ｐ−１３」を設定する。
【００４５】
スイッチ操作器６は、各スイッチＳＷ１〜ＳＷ４に設定されたパターンアドレスと、「パターンアドレス＋１」、「パターンアドレス＋２」、「パターンアドレス＋３」とを一組として固定する。すなわち、スイッチ操作器６は、間引き制御用スイッチＳＷ１〜ＳＷ４の各々が押下される度に、ＳＷ１ではＰ１→Ｐ２→Ｐ３→Ｐ４→Ｐ１・・・、ＳＷ２ではＰ５→Ｐ６→Ｐ７→Ｐ８→Ｐ５・・・、ＳＷ３ではＰ９→Ｐ１０→Ｐ１１→Ｐ１２→Ｐ９・・・、ＳＷ４ではＰ１３→Ｐ１４→Ｐ１５→Ｐ１６→Ｐ１３・・・の順番にパターンアドレスを変更する。このことで、スイッチ操作器６は、順に間引き制御のためのパターンアドレス制御を行い、照明制御システム１は照明負荷９の間引き制御を実現できる。なお、このようなパターンアドレスの変更を伝送ユニット２で自動的に行ってもよい。
【００４６】
このため、本実施の形態３においては、スイッチ操作器６にディップスイッチ等を設ける必要がなく、既存のスイッチ操作器６の各ＳＷに複数のパターンアドレスを付与できる。また、従来のアドレス設定器１１を用いてスイッチ操作器６のアドレス設定ができる。
【００４７】
（第１の変形例）
本実施の形態３の第１の変形例について、図７を参照して説明する。上記実施の形態３においては、スイッチ操作器６の各スイッチＳＷ１〜ＳＷ４にパターンアドレスを一つ設定するだけで各ＳＷに４つのパターンアドレスが制御に用いられるため、使用されるパターンアドレスが重複する可能性がある。
【００４８】
従って、本変形例では、図７（ａ）に示すように、スイッチ操作器６のスイッチに２つのグループアドレスを設定する。具体的には、図７（ｂ）のテーブル７１に示すようにスイッチ操作器６のＳＷ１の一度目のＯＮアドレスは「Ｇ１」、ＳＷ１の二度目のＯＮアドレスは「Ｇ２」、ＳＷ２の一度目のＯＮアドレスは「Ｇ１，Ｇ２」、ＳＷ２の二度目のＯＮアドレスは「なし」と設定する。
【００４９】
これにより、スイッチ操作器６に新たにディップスイッチ等を設ける必要もなく、既存のスイッチ操作器６を用いて図７（ａ）に示す照明負荷９の間引き点灯制御を実現できる。また、従来のアドレス設定器を用いて、パターンアドレスの重複使用が防ぎながらスイッチ操作器６のアドレス設定ができる。
【００５０】
（実施の形態４）
以下、本発明に係る照明制御システムの実施の形態４に関して図８を参照して説明する。本実施の形態４では、照明負荷９の間引き点灯制御を行う場合のスイッチ操作器６，７の操作面の表示に関して説明する。
【００５１】
図８（ａ）に示す場合、液晶付スイッチ操作器７の液晶表示部６０において、表示スイッチ周囲の全点灯時の赤表示の領域部（６１）を上下に２分して、間引き制御状態であるかどうかを表示する。具体的には、間引き点灯状態のシーンが２つの場合、一方の照明負荷９群が間引き制御状態である時に上領域側の赤表示（６２）を行い、他方の照明負荷９群が間引き制御状態であるときに下領域側の赤表示（６３）を行う。
【００５２】
この表示により、照明負荷９の間引き点灯状態を液晶付スイッチ操作器７の液晶表示部６１で確認でき、ユーザが一目でその時点での照明負荷９の全体の制御状態を把握できる。また、ユーザは照明制御システム１の異常状態もいち早く検知することができる。
【００５３】
図８（ｂ）及び図８（ｃ）にはスイッチ操作器６がＬＥＤ表示部を有する場合であり、既存のスイッチ操作器６として最も汎用されている製品である。図８（ｂ）に示す場合には、従来のＯＮ時の赤点灯部分を２色発光ＬＥＤ（例えば赤／橙）とし、間引き点灯（橙色）と全点灯（赤色）とでＬＥＤ表示色（６５）を切り替える。この場合、ＯＦＦ時には従来通り緑表示（６６）とする。
【００５４】
図８（ｃ）に示す場合には、間引き制御を表示するため上下２つのＬＥＤ表示部６７を新たに追加する。例えば、照明負荷群ＡのみをＯＮ時の間引き点灯では、表示部６７の上側のＬＥＤ６７ａのみを橙点灯し、別の照明負荷群ＢのみをＯＮ時の間引き点灯では、表示部６７の下側のＬＥＤ６７ｂのみを橙点灯する。この構成により、従来のスイッチ操作器６において、ユーザがその時点での照明負荷９の間引き点灯状態を視覚的に把握できるようになる。
【００５５】
（第１の変形例）
本実施の形態４の第１の変形例について、図９を参照して説明する。本変形例は、ユーザに対してある程度の間引き制御を行う照明負荷９のフレキシビリティを持たせることで、照明負荷９の明るさに合わせた延命制御を行うものである。
【００５６】
図９に示すように、スイッチ操作器６は、スイッチ操作器６の化粧カバー６ａを取り外した表面からは見えない部分に２極のディップスイッチ６ｃを備える。そして、例えば、このディップスイッチ６ｃの２極の内の右側に設定したスイッチＳＷ１の操作を行った場合は、照明負荷群Ａを点灯し、再度押下するとＯＦＦ制御する。ディップスイッチ６ｃの２極の内の左側に設定したスイッチＳＷ２の操作を行った場合は、照明負荷群Ｂを点灯して再度押下するとＯＦＦ制御する。
【００５７】
この構成により、間引き点灯時に点灯させる照明負荷９を、ディップスイッチ６ｃを用いてユーザが意図的に選択できる。従って、複数の照明負荷９間で経年変化などにより明るさにばらつきがある場合など、間引き制御する照明負荷９をユーザが選択することで寿命を均一化することができ、また点灯中の明るさのばらつきによる違和感をなくすことができる。
【００５８】
（第２の変形例）
本実施の形態４の第２の変形例について、図１０を参照して説明する。本変形例では、図１０に示すように、ディップスイッチ６ｄを３極にしている。横並びのディップスイッチ６ｄを想定した場合に、左端／右端に設定したときの動作は該変形例１のディップスイッチ６ｃと同様であるが、真ん中に設定した場合にスイッチ操作を行うと全点灯及び全消灯を繰り返すように設定できる。この構成により、スイッチ操作器６の１つのスイッチＳＷで、全点灯制御、間引き点灯制御、全消灯制御を実現することができ、かつ省スペースなスイッチ操作器６とできる。なお、本発明は、上記実施の形態の構成に限られず、発明の趣旨を変更しない範囲で種々の変形が可能である。
【符号の説明】
【００５９】
１  照明制御システム
２  伝送ユニット
３  リレー制御端末器（制御端末器）
４  リモコンリレー
５  リモコントランス
６  スイッチ操作器（負荷操作器）
６ａ  化粧カバー
６ｂ，６ｃ，６ｄ  ディップスイッチ
７  液晶付スイッチ操作器（負荷操作器）
８  照度センサ
９  照明負荷
１１  アドレス設定器
６１  液晶表示部
ＳＷ１，ＳＷ２，ＳＷ３，ＳＷ４  スイッチ（スイッチ手段）
【図１】
2012199099.tif 000003
【図２】
2012199099.tif 000004
【図３】
2012199099.tif 000005
【図４】
2012199099.tif 000006
【図５】
2012199099.tif 000007
【図６】
2012199099.tif 000008
【図７】
2012199099.tif 000009
【図８】
2012199099.tif 000010
【図９】
2012199099.tif 000011
【図１０】
2012199099.tif 000012
【図１１】
2012199099.tif 000013
【図１２】
2012199099.tif 000014